(57)【特許請求の範囲】
【請求項１】
弁を所望の開度に開閉制御する弁開度制御システムであって、
前記弁の開閉速度に基づき、設定された所望の目標開度に達するまでの開又は閉指令の出力時間を求める出力時間演算手段と、
この出力時間演算手段によって求められた出力時間の間、前記弁に開又は閉指令を出力する出力手段と、
前記弁の実測開度を入力し、この実測開度と前記目標開度との差が、不感帯設定手段により予め設定された不感帯の範囲に入ると、前記弁に対する開又は閉指令の出力を停止させる開度制御手段と、
前記弁を表すシンボル、及びこの弁のシンボル近くに設けられ、前記の開動作中及び閉動作中をそれぞれ表示可能な表示手段を有する表示装置と、
を備えたことを特徴とする弁開度制御システム。
【請求項２】
前記目標開度は、ＰＩＤ制御の操作量に基づいて算出された値であることを特徴とする請求項１に記載の弁開度制御システム。
【発明の詳細な説明】
【技術分野】
【０００１】
本発明の実施形態は、上水道および下水道処理設備等に用いられる弁を、ディジタル出力にて開度制御する弁開度制御システムに関する。
【背景技術】
【０００２】
一般に、上水道および下水道処理設備等、流体を取り扱う各種のプラントには多くの弁が用いられ、その開度制御が行われている。従来、弁開度制御は、操作を行う弁に対して、コントローラ（ＰＬＣ）のアナログ出力モジュールから０−２０ｍＡ（０−５Ｖ）のアナログ操作信号を出力している。この場合、アナログ出力を受け付ける弁が高価になってしまい、コスト低減を考えた場合に不利となることがある。例えば、４−２０ｍＡを開度０−１００％とした場合、開度５０％にしたい場合は、１２ｍＡを与えれば、５０％の開度を得ることができる。したがって、制御としては使いやすい。しかし、１２ｍＡのアナログ信号を開閉操作用モータの駆動電流値に変換するマイコンが弁毎に必要となり、コストは高価となる。
【０００３】
そこで、アナログ出力ではなく、ディジタル出力（開又は閉指令）を用い、その出力時間を管理することにより、所望の弁開度に制御することが考えられた（例えば、特許文献１参照）。
【０００４】
このように、ディジタル出力により弁駆動モータを単に正転又は逆転させ、その出力時間により弁開度を制御する方法では、弁は高価なマイコンを必要とせず、コスト的に有利となる。
【先行技術文献】
【特許文献】
【０００５】
【特許文献１】特開平１１−２７２３２５号公報
【発明の概要】
【発明が解決しようとする課題】
【０００６】
しかし、このディジタル出力を必要な時間のみ出力して弁の開度制御を行う方法では、操作対象弁が慣性などにより目標開度で止まらない場合がある。特に最近の弁は、開閉速度が高速化しており、このような高速開閉する弁では目標開度で停止させることが困難であった。目標開度を行き過ぎた場合は修正のために閉方向に反転操作し、閉方向に行き過ぎた場合は開方向に反転操作する、修正操作を多数回繰り返さなければならず、弁自体、及び制御用のリレーなどを劣化、故障させる原因となる。
【０００７】
このため、課題は、開又は閉指令のためのディジタル信号を、開度に対応した時間、出力することで、弁を目標開度に操作する場合、目標開度近くで開／閉方向の反転動作を多数繰り返すことなく、容易に目標開度とすることが可能な弁開度制御システムを提供することにある。
【課題を解決するための手段】
【０００８】
本発明の実施の形態によれば、弁を所望の開度に開閉制御する弁開度制御システムであって、前記弁の開閉速度に基づき、設定された所望の目標開度に達するまでの開又は閉指令の出力時間を求める出力時間演算手段と、この出力時間演算手段によって求められた出力時間の間、前記弁に開又は閉指令を出力する出力手段と、前記弁の実測開度を入力し、この実測開度と前記目標開度との差が、不感帯設定手段により予め設定された不感帯の範囲に入ると、前記弁に対する開又は閉指令の出力を停止させる開度制御手段と、前記弁を表すシンボル、及びこの弁のシンボル近くに設けられ、前記の開動作中及び閉動作中をそれぞれ表示可能な表示手段を有する表示装置とを備えたことを特徴とする。
【図面の簡単な説明】
【０００９】
【図１】本発明の一実施の形態に係る弁開度制御装置を示す機能ブロック図である。
【図２】本発明の一実施の形態の動作を説明するフローチャートである。
【発明を実施するための形態】
【００１０】
以下、本発明の実施の形態について、図面を参照して詳細に説明する。
【００１１】
図１はこの実施の形態の全体構成を示している。図１において、制御対象となる弁１１は、上下水道処理設備や海水淡水化プラントなど、流体を取り扱う図示しない各種のプラントに設けられており、開閉駆動用のモータ１２と、その開度に応じたアナログ信号を出力する開度センサー１３とを有する。
【００１２】
コントローラ（ＰＬＣ）１５は、弁１１を所望の開度に開閉制御するもので、目標開度設定手段１６、出力時間演算手段１７、出力手段１８、開度制御手段１９、及び不感帯設定手段２０を有する。
【００１３】
目標開度設定手段１６は、弁１１を所望の開度に操作すべく、目標開度が設定される。この目標開度は、オペレータの操作により手動設定されたり、プラントの予め設定されたシーケンス上で、必要とする開度に自動設定されたりする。出力時間演算手段１７は、弁１１の、既知の値である開閉速度に基づき、現状の開度から設定された所望の目標開度に達するまでの操作信号の出力時間を求める。出力手段１８は、出力時間演算手段１７によって求められた時間の間、弁１１に対して開又は閉指令を出力する。また、この開又は閉指令は後述する表示装置２２へも出力される。開度制御手段１９は、弁１１の実測開度を開度センサー１３から入力し、この実測開度と目標開度との差が、不感帯設定手段２０により予め設定された不感帯の範囲に入ると、弁１１に対する開又は閉指令の出力を停止させる。
【００１４】
表示装置２２は、弁１１が設けられたプラントを表す系統図をグラフィック表示するもので、例えば、コンピュータにより表示制御される表示画面等が用いられる。この系統図中には弁１１を表すシンボルがグラフィック表示され、このシンボル近くには、この弁１１が開動作中であるか、或いは閉動作中であるかを表す表示手段を配置する。出力手段１８からの開又は閉指令は、これら表示手段を表示制御するものである。
【００１５】
上記構成において、操作対象弁１１を所望の開度に操作すべく、目標開度設定手段１６に目標開度を設定すると、コントローラ１５は、図２のフローチャートで示す処理により、まず、出力時間演算手段１７が操作信号の出力時間を算出する。ここで、弁１１の開閉時間（ストローク時間）は予め設定されており（ステップ２０１）、出力時間演算手段１７はこの既知の開閉時間と、ステップ２０３で設定された目標開度とから、目標開度に達するまでの操作信号出力時間を算出する（ステップ２０４）。
【００１６】
例えば、弁１１の目標開度が５０％の場合、前述した既知のフルストローク時間（弁の全閉から全開までの時間）から、現状開度から目標開度５０％に達するまでの開または閉指令（操作信号）の出力時間を演算する。例えば、弁１１の現状の開度が全閉であれば、開指令の出力時間は、フルストローク時間の５０％となる。
【００１７】
出力手段１８は、このようにして求められた出力時間の間、開又は閉指令を操作対象弁１１に出力する（ステップ２０５）。このため、弁１１は開又は閉方向に駆動され、その開度は開度センサー１３により実測される。この実測開度は開度制御手段１８に入力され、目標開度と比較され、実測開度と目標開度との差が求められる。開度制御手段１８には、不感帯設定手段２０により、操作対象弁１１に対応した不感帯が設定されており（ステップ２０２）、実測開度と目標開度との差の絶対値がこの不感帯の範囲に入ったかを判断する（ステップ２０６）。その結果、不感帯の範囲に入ると、出力手段１８に対して開又は閉指令の出力を停止させる（ステップ２０７）。
【００１８】
このように、不感帯を設定し、目標開度と実測開度との差が不感帯の範囲に入ると操作信号の出力を停止するようにしたので、目標開度に達してから操作信号を停止させる従来の場合のように、目標開度を大きく行き過ぎてしまうことを防止できる。すなわち、従来は操作信号の出力時間によっては、操作対象弁が慣性により目標開度で止まらない場合があり、開方向に行き過ぎた場合は閉指令を、閉方向に行き過ぎた場合は開指令の修正出力を繰り返すため、操作対象弁またはリレーなどを劣化、故障させる原因となっていた。しかし、この実施の形態では、不感帯を設けたことにより、このような修正のための頻繁な繰り返し操作を防止できる。
【００１９】
本実施の形態でも、不感帯の範囲を超えて行き過ぎが生じることは考えられるが、このような場合でもその程度は小さく、次の修正用の反転操作により、容易に目標開度近くに収束することができる。
【００２０】
ここで、不感帯は、一般的には、開閉速度が速い弁ほど慣性力も大きくなるため、不感帯は大きく設定する。通常、開度の２〜３%程度が考えられるが、弁の種類や、その開閉速度によって異なるので弁毎に現場で設定することが好ましい。この実施の形態では表示装置２２における弁１１のシンボル近くに、開動作中／閉動作中を表す表示手段を設けたので、この表示を目視しながら不感帯の設定操作を行えば、容易に最適な不感帯を設定することが可能となる。
【００２１】
前記実施の形態では、目標開度は目標秋度設定手段１６により手動設定、或いはシーケンス上の設定により行われていたが、本発明はこれに限定されず、目標開度は、ＰＩＤ制御の操作量に基づいて算出された値であってもよい。すなわち、コントローラ１５が、例えば、プラント中のある流量をＰＩＤ制御により一定に保つような制御を行っている場合、目標開度設定手段１６に、ＰＩＤ制御の操作量を入力させ、かつ、この操作量から目標開度を得る演算機能を持たせたものとする。このように構成すれば、弁１１の開度をＰＩＤ制御により自動制御することも可能になる。
【００２２】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２３】
１１・・・弁
１２・・・駆動モータ
１３・・・開度センサー
１５・・・コントローラ
１６・・・目標改組設定手段
１７・・・出力時間演算手段
１８・・・出力手段
１９・・・開度制御手段
２０・・・不感帯設定手段
２２・・・表示装置
【図１】
0005300897.tif 000002
【図２】
0005300897.tif 000003